(57)【要約】【課題】台風又は津波時の潮流の変化又は波力の変化によるＶ字型突堤の安全性とＶ字型突堤湾内に漂砂が堆積する場合に課題がある。【解決手段】Ｖ字型突堤の安全性に対する手段は設計時のＶ型突堤設計時の波力公式をＰ＝３ＷＨとした設計とし、マウンド石積は３０トンクラス石積でその表面外周は３０トンクラス以上のテトラポット積み重ねとする、Ｖ字湾内石張も３０トンクラス石張りとした構造とする、漂砂については漂砂が流れ込まぬように、受水池から排水施設を経て排水する排水方向をＶ字型突堤先端部へ向け排水し、潮流に変化を与えることによりＶ字型突堤先端部漂砂を沖合に導く手段により解決する、尚台風、津波時は波高も大きく、それに伴い排水量も大きくなるので潮流方向にも大きな影響を与え、漂砂侵入防止が出来る、又潜り堤の設置にて潮流を前もって変化させ、漂砂の進入堆積を防止する手段とする【選択図】図１
2014159801.tif 000002
【特許請求の範囲】
【請求項１】
沿岸線から海側へ直角に中心線を伸ばし、その両側にＶ字型に突堤を構築し、その突堤内側海底の高さを突堤先端部海底高から陸地へ一定の勾配で上げた構築構造とすることにて、人為的に波の高さを作り出す施設構造及び発電施設を特許の請求範囲とする。
【請求項２】
Ｖ字型突堤内側海底高から陸地へ向かって一定勾配で上がった地点で波高が２倍となる位置を定め、更にＶ字型突堤の中心から両側幅を縮小させることで、波高さを倍に出来ることを活用し、陸地側へ更にそのポイントを設けて突堤幅と海底勾配を決定することにより、波高さを倍化させる施設構造を特許の請求範囲とする。
【請求項３】
陸地側から５０ｍ位の海へ向かった位置をＶ字型突堤の始点とし海側へＶ字型に伸ばした構造とする、Ｖ字型突堤の形状は大口径鋼管のセル護岸タイプで、１０ｍ幅で囲んだ形状とし、中詰めは転石、大割石、コンクリート詰めをした躯体として、海底から５ｍ迄マウンド石積みとする、一定高さに設置した石積構造は両側に５ｍの犬走りを設けた構造とする、突堤の天端最小幅は１０ｍとし両側に鋼管幅、をプラスした幅とする、Ｖ字型始点突堤開き幅は３０ｍ以内とし陸地側最終地点は１０ｍ最小幅に縮小したＵ字型コンクリート躯体とする、躯体根入部基礎は洗掘防止策を設けた構造とする、Ｖ字型突堤天端高さは海側から陸地へ向かって上昇する波高に比例して高くした構造で、Ｕ字型コンクリート躯体天端も比例した高さの躯体とした施設構造を特許請求範囲とする
【請求項４】
陸地側Ｕ字型コンクリート躯体終端上部には１０ｍ幅の溢流堰を設け上昇水を排出する構造とする、溢流水は落差発電設備箇所へ落下させ、受水池を経て排水施設を通り海へ放流する施設構造を特許の請求範囲とする。
【請求項５】
発電施設は陸地側Ｕ字型コンクリート躯体終端上部から上昇水を溢流させ高低落差利用による落差発電施設を設置する、又受水池を経て排水施設から海へ向かう中間には複数か所の回転発電施設を設置出来る構造を特許の請求範囲とする。
【請求項６】
受水池から排水施設を経て海へ排水するが、その排水方向、場所は潮流方向上流側に受水池、排水施設を設け、排水方向はＶ字型突堤先端部に向けることにより、台風、津波時のＶ字湾内に流れ込む漂砂を防止出来る施設構造を特許請求の範囲とする。
【発明の詳細な説明】
【技術分野】
【０００１】海洋に於ける発電方式には温度差発電方式があるが場所的条件制約を受けるので世界でも数が少ない、自然エネルギーによる発電には太陽光発電、水力発電、風力発電があるが、自然の波力発電システムはまだ研究半ばと考え開発した分野である波エネルギーによる破壊力に対処することが困難であること等が一般的であるが自然の力を受け止め、人為的に海底を一定勾配で浅くすること、又湾内幅を人為的に狭くする事により波高さ高め、陸地側に海水を高所迄導き落差発電、回転式発電をすることのできる新エネルギー開発技術分野である。
【背景技術】
【０００２】東日本の大震災でも明らかのように、リアス式海岸で海岸が鋸の刃状態の形状のため陸地幅が陸地に向かって狭くなり、更に水深が浅くなるため波高が２乗化され大被害となった、これらから発電施設構造を開発考案したが、台風、津波の大きさは在来までの水理力学にある波力Ｐ＝１．５ＷＨとあるが疑問点があった、たとえば竜串の岸壁が台風時破壊した、その構造は５０キロレール網目でも折れてしまった。今回東日本震災の岸壁破壊は波超えによるマウンド洗掘による倒壊とあるが、それだけではない，波の大きさによる破壊も考えられる、Ｐ＝３ＷＨで算定するのが妥当と考えられる、津波の波高痕跡かも明らかである、今後の計画は上記公式とした設計計画として安全且つ経済的構築構造体として計画する必要がある、尚波力を逃がしながら抵抗なく波高を人為的に高め効率のよい発電施設構造とし、無駄なく各種発電施設を設けることを考えた。
【発明の開示】
【発明が解決しようとする課題】
【０００３】海沖合での平均潮位が常時１ｍ以上の波が生ずるものとして本発電施設を考え  力学的理論と自然現象から経済採算面を検討し、Ｕ字コンクリート型躯体の陸側最終地点における、最高必要波高を算定し、Ｖ字型突堤長、広がり角度及び突堤先端海底から陸地への勾配を決定することが必要であるが、台風、津波時の施設費用が課題である、又台風、津波時にＶ字型湾に流れ込む漂砂処理が課題である。
【課題を解決する手段】
【０００４】経済的負担は国家的プロジェクト又は民間的事業とし経済負担を解決する、漂砂対策としては受水池から排水施設を経て海に放流する突堤先端部の突きだし角度及び長さによる解決策とする、尚潜り堤体等により潮流の方向性を前もって変化させる手段で課題を解決する手段とする。
【発明の実施形態】
【０００５】Ｖ字型突堤の波浪に対する設計波力はＰ＝３ＷＨの式にて設計し台風時、津波時の安全を計る、Ｖ字型突堤の中心線からの開き角度は、突堤先端から波高が２倍になる縮小幅のポイントを決定し、又一方海底勾配は突堤先端海底深さから１／４浅くなったポイントで波高が２倍となることから、両ポイントを合わせ２乗化させる位置を設ける、この合体ポイントは施設内に最低２か所、設置出来るＶ字型突堤長とし、この波高さを利用して陸地側の発電施設の動力源とする実施形態
【発明の効果】
【０００６】自然エネルギーを利用する風力、太陽光、水力発電と同じく自然現象のエネルギーを利用した方法であるが、本発明はこのエネルギーの源である波を人為的に大きい波エネルギーに変化させることの出来る発明でその効果は大きい、その施設規模は１ポイントの規模でも可能であるが最低２ポイント設けることに経済性がある、本発明は昼夜発電可能であり、無風状態でもうねり波があるので風力発電、太陽光発電と比べ効果的である、日本は全面、海に面するので各地域ごとに発電施設を設置出来る有利条件がありその効果は大きい
【図面の簡単な説明】
【０００７】
【図１】波力発電施設構造  平面図及び断面図
【符号の説明】
【０００８】  １．Ｖ字型突堤（周辺は鋼管３ｍ〜５ｍ径構築、（中詰は大石、コンクリート）
２．Ｕ字型コンリート躯体（沿岸から陸側へ５０ｍ、海側幅、３０ｍ以内、陸側幅は１      ０ｍ溢流の排水口とした構造躯体）
３．回転発電位置
４．高低落差発電位置
５．受水池
６．排水施設
７．海底勾配
８．Ｖ字型突堤始点位置
９．漂砂対策排水方向位置
１０．Ｖ字型突堤中心線
１１．沿岸線
１２．Ｖ字突堤湾内石張
１３．マウンド石積
１４．流砂防止留め（ウナギ留め）
１５．平均潮位
１６．潮流方向
【図１】
2014159801.tif 000003